(57)【要約】選択可能なウェイトセット器具は、第１の端部および第１の端部の反対側にある第２の端部を有するハンドルを含むハンドル組立体を含む。第１のウェイトセットは、ハンドルの第１の端部上で支持されるよう適合され、第２のウェイトセットは、ハンドルの第２の端部上で支持されるよう適合される。第１および第２のウェイトセットのそれぞれは、複数のウェイトプレートを含む。調整組立体は、ハンドル組立体に保持される多数のウェイトプレートを選択する。調整組立体は、第１および第２のウェイトセットのうちの該少なくとも１つにおいて、ウェイトプレートと係合し、かつ選択するための、第１および第２のウェイトセットのうちの少なくとも１つに対する移動のための少なくとも１つの選択器を含む。係止組立体は、第１および第２のウェイトセットのうちの該少なくとも１つに対して選択器を固定する。
2016506812.tif 000002
【特許請求の範囲】
【請求項１】
選択可能なウェイトセット器具であって、
第１の端部および前記第１の端部の反対側にある第２の端部を有するハンドルを備えるハンドル組立体と、
前記ハンドルの前記第１の端部上で支持されるよう適合された第１のウェイトセットおよび前記ハンドルの前記第２の端部上で支持されるよう適合された第２のウェイトセットであって、これらのそれぞれが複数のウェイトプレートを備える、第１および第２のウェイトセットと、
前記ハンドル組立体に保持される多数のウェイトプレートを選択するための調整組立体であって、前記第１および第２のウェイトセットのうちの少なくとも１つにおいて、前記ウェイトプレートと係合し、かつ選択するための、前記第１および第２のウェイトセットのうちの前記少なくとも１つに対する移動のための少なくとも１つの選択器を備える、調整組立体と、
前記第１および第２のウェイトセットのうちの前記少なくとも１つに対して前記選択器を固定するための係止組立体であって、前記係止組立体が、第１の係止要素および複数の第２の係止要素を備え、第１の係止要素が、前記選択器が前記第１および第２のウェイトセットのうちの前記少なくとも１つにおいて、前記ウェイトプレートと係合し、かつ選択するよう移動された後、前記選択器および前記選択器上の前記複数の第２の係止要素のうちの１つとの解除可能な係合のために構成される、係止組立体と、を備える、選択可能なウェイトセット器具。
【請求項２】
前記調整組立体が、前記第１および第２のウェイトセットのうちの前記少なくとも１つにおいて、前記ウェイトプレートと係合し、かつ選択するために、前記少なくとも１つの選択器を移動させるための少なくとも１つのギア組立体をさらに備え、第１の位置で前記選択器と係合し、かつ前記第１の位置とは異なる第２の位置で前記選択器と係合する前記第１の係止要素と係合するギア組立体をさらに備える、請求項１に記載の選択可能なウェイトセット器具。
【請求項３】
前記第１および第２の位置が前記選択器の横方向の移動を制限するために、前記選択器の向かい合った側面上にある、請求項２に記載の選択可能なウェイトセット器具。
【請求項４】
前記第１の係止要素がロッド部材を備え、前記第２の係止要素が前記選択器内に形成された複数の凹部を備え、前記ロッド部材の縦方向の係合面が、前記選択器の縦方向の移動を制限するよう、前記凹部のうちの１つに受容される、請求項３に記載の選択可能なウェイトセット器具。
【請求項５】
前記凹部が前記選択器の長さに沿って縦方向に離間配置される、請求項４に記載の選択可能なウェイトセット器具。
【請求項６】
前記選択器が前記ウェイトプレート内の選択器穴を通して移動可能な選択器シャフトである、請求項５に記載の選択可能なウェイトセット器具。
【請求項７】
前記第１の係止要素の実質的に垂直の移動によって、前記第１の係止要素が前記選択器上の第２の係止要素と係合し、かつ係合解除する、請求項１に記載の調整可能なウェイトセット器具。
【請求項８】
前記調整組立体が、前記第１の係止要素に固定され、かつ前記第１および第２のウェイトセットのうちの前記少なくとも１つにおいて、選択された数のウェイトプレートを保持するよう、前記選択器を移動させるために、前記選択器に動作可能に連結された選択器要素をさらに備え、前記選択器を選択されたウェイトプレートに前進させる前記選択器要素の移動が、前記第１の係止要素を前記選択されたウェイトプレートに関連付けられた第２の係止要素と整合させる、請求項１に記載の選択可能なウェイトセット器具。
【請求項９】
前記係止組立体が、該係止組立体を選択的に係止および係止解除構成に配置させるために、前記ハンドル組立体上に摺動可能に取り付けられた保持部材をさらに備える、請求項１に記載の選択可能なウェイトセット器具。 
【請求項１０】
前記第１の係止要素がショルダーを含み、前記保持部材が、前記係止組立体を前記係止構成に保持するよう、前記第１の係止要素の前記ショルダーと係合するよう適合される、請求項９に記載の選択可能なウェイトセット器具。
【請求項１１】
前記第１の係止要素が管状部および前記管状部周辺に円錐状部を備え、前記円錐状部が前記第１の係止要素の前記ショルダーを画定する、請求項１０に記載の選択可能なウェイトセット器具。
【請求項１２】
前記保持部材がそこを通る前記第１の係止要素を受容する開口部を有する係止部を備え、前記係止組立体が前記係止構成にあるときに、前記第１の係止要素の前記ショルダーが前記係止部の底面と対向する、請求項１１に記載の選択可能なウェイトセット器具。
【請求項１３】
前記保持部材が、前記係止組立体を係止解除構成に配置させるため、前記第１の係止要素の前記ショルダーから前記保持部材の係合を解除するよう摺動可能である、請求項１０に記載の選択可能なウェイトセット器具。
【請求項１４】
前記第１の係止要素が前記係止組立体の前記係止解除構成に対応する位置に付勢される、請求項１０に記載の選択可能なウェイトセット器具。
【請求項１５】
前記保持部材が前記係止組立体の前記係止構成に対応する位置に付勢される、請求項１４に記載の選択可能なウェイトセット器具。
【請求項１６】
ウェイトプレート印を含む回転可能な選択器要素をさらに備え、前記調整組立体が少なくとも１つのギア組立体をさらに備え、前記選択器要素が、前記第１および第２のウェイトセットのうち前記少なくとも１つにおいて、前記ウェイトプレートと係合し、かつ選択するために、前記少なくとも１つの選択器を移動させるための前記少なくとも１つの前記ギア組立体によって前記選択器に動作可能に連結され、前記選択器要素の１回の完全な回転が前記第１および第２のウェイトセットのうちの前記少なくとも１つにおけるすべてのウェイトプレートを保持するよう、１つのウェイトプレート印が１つのウェイトプレートに対応する、請求項１に記載の選択可能なウェイトセット器具。
【請求項１７】
選択可能なウェイトセット器具のためのハンドル組立体であって、
複数のウェイトプレートを支持するためのハンドルと、
前記ハンドルに保持される多数のウェイトプレートを選択するための前記ハンドルに関連付けられた調整組立体であって、前記ハンドルに保持される前記ウェイトプレートと係合し、かつ選択するための、前記ハンドルに対する移動のための少なくとも１つの選択器を備える、調整組立体と、
前記ハンドルに対して前記選択器を固定するための係止組立体であって、前記係止組立体が第１の係止要素および複数の第２の係止要素を備え、前記第１の係止要素が、前記係止組立体を係止および係止解除構成に配置するために、前記選択器および該選択器上の前記複数の第２の係止要素のうちの１つとの解除可能な係合のために構成される、係止組立体と、を備える、ハンドル組立体。
【発明の詳細な説明】
【技術分野】
【０００１】
本発明は一般に、改良されたウェイトセット選択器および係止機構を有する選択可能なフリーウェイト組立体に関する。
【背景技術】
【０００２】
調整可能なウェイトダンベル器具は、器具からウェイト（つまり、ウェイトプレート）の加減を容易にすることで、利用者が１つのハンドセットで複数の異なるウェイトセットを利用できるようにする。過去に、フリーウェイトダンベルの使用は一般に、利用者に対して、２つの選択肢のいずれかを提供していた。１つ目の選択肢は、全部の求められるフリーウェイト要件（つまり、複数のダンベルの組）を満たすのに十分な複数の固体塊のフリーウェイトダンベルであった。２つ目の選択肢は、ハンドレンチ手動係止器具を用いて、ハンドセットにウェイトを物理的に拘持または固着する必要のある調整可能なダンベルであった。もっと最近では、調整可能なダンベルには、相互にかつハンドセットにウェイトプレートを固着するための異なる機構が導入されている。
【０００３】
使用中、フリーウェイト組立体が上昇位置から落ちることがよくある。従来の調整可能なウェイト組立体が様々な選択器および係止機構を採用していても、組立体が落ちると、ウェイトプレートの係合が解除されることがある。これにより、ウェイトプレートがハンドセットから外れ、その結果、組立体に永久的な損傷が生じる可能性がある。それゆえ、改良されたウェイトセット選択器および係止機構を有する調整可能なウェイト組立体に対する必要性が存在する。
【発明の概要】
【０００４】
１つの態様では、選択可能なウェイトセット器具は一般に、第１の端部および第１の端部の反対側にある第２の端部を有するハンドルを有するハンドル組立体を備える。第１のウェイトセットは、ハンドルの第１の端部上で支持されるよう適合され、第２のウェイトセットは、ハンドルの第２の端部上で支持されるよう適合される。第１および第２のウェイトセットのそれぞれは、複数のウェイトプレートを含む。調整組立体は、ハンドル組立体に保持される多数のウェイトプレートを選択する。調整組立体は、該第１および第２のウェイトセットの少なくとも１つにおいてウェイトプレートと係合し、かつ選択するための、第１および第２のウェイトセットの少なくとも１つに対する移動に対して、少なくとも１つの選択器を含む。係止組立体は、第１および第２のウェイトセットのうち該少なくとも１つに対して選択器を固定する。係止組立体は、第１の係止要素および複数の第２の係止要素を備える。第１の係止要素は、選択器が第１および第２のウェイトセットのうち該少なくとも１つにおいて、ウェイトプレートと係合し、かつ選択するよう移動された後に選択器上にある複数の第２の係止要素の１つとの解除可能な係合のために構成される。
【０００５】
別の態様では、選択可能なウェイトセット器具のためのハンドル組立体は一般に、複数のウェイトプレートを支持するためのハンドルを備える。調整組立体は、ハンドルに保持される多数のウェイトプレートを選択するためのハンドルに関連付けられる。調整組立体は、ハンドルに保持されるウェイトプレートと係合し、かつ選択するためのハンドルに対する移動のための少なくとも１つの選択器を備える。係止組立体は、ハンドルに対して選択器を固定する。係止組立体は、第１の係止要素および複数の第２の係止要素を備える。第１の係止要素は、係止組立体を係止および係止解除構成に配置するために、選択器および選択器上の複数の第２の係止要素のうちの１つとの解除可能な係合のために構成される。
【０００６】
本発明のその他の態様は、下記の説明及び特許請求の範囲を考慮すれば明らかとなるだろう。
【図面の簡単な説明】
【０００７】
【図１】本発明のフリーウェイトダンベル器具を示す斜視図である。
【図２】本器具の側面図である。
【図３】本器具の上面図である。
【図４】本器具の端面図である。
【図５】本器具のウェイトプレートの斜視図である。
【図５Ａ】ウェイトプレートの側面図である。
【図５Ｂ】本器具のカラープレートの斜視図である。
【図６】図３の線６−６による本器具の断面図である。
【図７】右側地点からの本器具の右側カラーの斜視図である。
【図７Ａ】左側地点からの本器具の左側カラーの斜視図である。
【図８】係止組立体が係止構成にある本器具の調整組立体および係止組立体を含む、右側カラーの斜視図である。
【図８Ａ】細部を示すために調整組立体および係止組立体の一部を切り欠けた図８の斜視図である。
【図８Ｂ】調整組立体のノブが係止構成でカラーに奥まった所に置かれた異なる実施形態を示す、図８に類似した斜視図である。
【図９】係止組立体が係止解除構成にある、左側カラーの斜視図である。
【図９Ａ】細部を示すために調整組立体および係止組立体の一部を切り欠けた図９の斜視図である。
【図１０】本器具の選択器シャフトの正面斜視図である。
【図１０Ａ】本器具の選択器シャフトの後面斜視図である。
【図１１】本器具の調整組立体および係止組立体の一部の斜視図である。
【図１２】係止組立体の保持部材の斜視図である。
【０００８】
すべての図面を通して、対応する引用符号は、対応する部品を示す。
【発明を実施するための形態】
【０００９】
次に図面、より具体的には、図１〜４を参照すると、独立した選択可能なフリーウェイトダンベル器具１０は一般に、ハンドルの個別の端部に取り付けられた管状ハンドル１４および１組のカラー１８、２０を含むダンベルハンドル組立体１２を備える。１組のウェイトプレートセット１６は、ハンドル組立体１２によって支持される。各ウェイトプレートセット１６は、個別のカラー１８、２０および最外部のウェイトプレート２４間の嵌合配列に配置された複数のウェイトプレート２４を備える。ノブ２６（広義には、「選択器要素」）は、器具１０の合計重量を変えるためのハンドル組立体１２によって支持される各個別のセット１６内のウェイトプレート２４の数を調整するために、各カラー１８、２０に取り付けられる。ハンドル１４の一部は、利用者が器具１０を掴んで、操作できるよう、カラー１８、２０間に延在する。
【００１０】
図５を参照すると、各ウェイトプレート２４は、本体部２９および本体部から傾斜角で延在する上部湾曲部３１を備える。ウェイトプレート２４は、鋼鉄などの適切な素材でできており、プラスティックなどの別のより安全な素材で外側被覆されていてもよい。好適な実施形態では、上部湾曲部３１は、約１２度の角度α（図５Ａ）だけ本体部２９から曲がっている。このウェイトプレート２４の構成により、曲げなしのウェイトプレートと比較して、器具１０の全体の長さが減る。その結果、ウェイトプレート２４の形状により、より操作しやすい、より小型な器具１０が作り出される。ウェイトプレート２４は、本発明の範囲から逸脱することなく、その他の形状および構成をとってもよい。例えば、ウェイトプレートは、実質的に円形または実質的に長方形でありうる。さらに、プレートは、別の曲げを有するか、または平坦でもありうる。
【００１１】
各カラー１８、２０は、ウェイトセット１６（図１〜３および５Ｂ）の第１のウェイトプレート２４と係合するための個別のカラーに固定されたカラープレート３２を有していてもよい。カラープレート３２は、鋼鉄などの適切な素材でできていてもよく、全体の形状がウェイトプレートと同じでもよい。しかし、カラープレートがウェイトプレートの形状とは異なる形状を有していてもよいことが理解されよう。例示した実施形態では、ギアスロット３３は、下記でより詳細に説明されるように、器具１０のギアに対して間隙を提供するために、カラープレート３２内に形成される。また、カラープレート（図示せず）は、ウェイトプレートのいずれかの形状の任意の周辺端部から突き出ることなく、異なる形状（例えば、円形のウェイトプレート（図示せず））のウェイトプレートを収納するため、図に示されるウェイトプレート２４よりも若干小さくてもよい。ウェイトプレート２４は、カラー１８、２０から最外部のウェイトプレート２４に順にしっかりと係止されるよう設計される。したがって、ウェイトプレート２４は、カラープレート３２に係止されるよう設計されてもよい。
【００１２】
図４〜５Ａを参照すると、ウェイトプレート２４およびカラープレート３２はそれぞれ、隣接するプレートに結合するための、プレート係止機構３０を有していてもよい。具体的には、係止機構３０は、隣接する２つのウェイトプレート２４を共に、またはウェイトプレートをカラープレート３２のいずれか１つに係止するよう機能する。係止機構３０には、プレート２４、３２それぞれに３辺から構成されるカット（２つの側面カットと横断する上部カット）を設けることで形成される中央係止タング３４が含まれる。カット内部の領域は一定の角度でタングの曲がりに対して外側に曲がっており、係止タング３４を形成している。タング３４によってできた空間は、中央係止スロット３６を形成する。さらに、２つの側面カットは、タング３４の底端部が、タングの上端部よりも長くなるよう、上部カットに向かって先細りになる。例示した実施形態では、タング３４は、二等辺四辺形の形状を有している。しかし、タング３４は、本発明の範囲から逸脱することなく、非二等辺四辺形、長方形または半円形などのその他の形状を有していてもよい。このように、タングを形成するのに、任意の数の直線または曲面カットを用いてもよい。
【００１３】
中央係止タング３４は、器具１０の使用中、ウェイトプレート２４およびカラープレート３２の係止および係止解除を容易にするよう設計される。各タング３４の上端部は、係止面３８を有する。係止面３８は、隣接するウェイトプレート２４またはカラープレート３２の中央係止スロット３６の上部に係合および係止されるよう設計される。この工法により、複数のウェイトプレート２４の配置を相互に重ね合わせうる機構を提供しつつ、隣接する中央係止スロット３６に対して、中央係止タング３４の必要な位置決めが可能となる。
【００１４】
係止機構３０は、プレート上に第２のタング（図示せず）をさらに備えていてもよい。本発明の範囲内で、任意の適切なプレートインターロックを用いてもよいことが理解されよう。第２のタングの１つの例は、私の国際特許出願第ＰＣＴ／ＵＳ２０１２／０６２２８９号で示されており、その開示は、参照することにより本明細書に援用される。
【００１５】
図５および５Ｂを参照すると、ウェイトプレート２４およびカラープレート３２のそれぞれにも、必要な数のウェイトと係合し、選択するために、ウェイトプレートに、およびウェイトプレートから選択器シャフト５０（図６参照）を通過させるようにするために、プレートの中央に位置決めされた選択器シャフト穴４２が含まれている。カラー２０のみ図示されているが、各カラー１８、２０には、カラーの内面から突き出て、カラー内の選択器シャフト穴４２を囲むシャフトリング４４が含まれている（図７および７Ａ）。インサート９８は、カラー１８、２０の内部空間内で受容される。下記により詳細に説明されるように、このインサートにより、器具１０の種々の構成要素を見つけやすくなる。係止機構３０と併せて、ハンドル１４の縦軸ＬＡに対して斜めになっているカラープレート３２の方向により、ウェイトプレート２４がハンドル組立体１２上に保持されるときに、ウェイトプレート２４の一部がハンドル１４の縦軸に対して斜めの角度に固定される。
【００１６】
必要なウェイトの選択は、ノブ２６を通じて行われ、これによって、次にハンドル組立体１２の構成要素が作動される。図６および８〜１０Ａを参照すると、ハンドル組立体は、ハンドル１４、選択器シャフト５０、ギア組立体５２および係止組立体５４を備える。ノブ２６およびギア組立体５２は、広義には調整組立体である。ギア組立体５２は、第１の平歯車５６、第１の平歯車と噛合する第２の平歯車５８、第２の平歯車から延在する連結軸６０および選択器シャフト５０上にある歯６４（図９〜１０参照）と係合するために、連結軸の底端部に取り付けられた第３の平歯車６２を備える。シャフトリング４４内の切り欠き６３（図７および７Ａ）およびインサート９８内の切り欠き６５は、第３の平歯車６２の少なくとも一部を受容し、カラー１８、２０に干渉せずに、第３の平歯車に選択器シャフト５０を係合させるようにする。カラープレート３２内のギアスロット３３も第３の平歯車６２の一部を受容し、ギアのための間隙を設ける。カラー１８、２０内のインサート９８内の切り欠き６７は、第１および第２の平歯車５６、５８の一部を受容し、第１および第２のギアのための間隙を提供する。各ノブ２６は、アクチュエーターシャフト６６（広義には、「第１の係止要素」）上に取り付けられ、第１の平歯車５６は、ノブもアクチュエーターシャフト上の個別の第１の平歯車を回転させるよう、アクチュエーターシャフトに圧入される。アクチュエーターシャフトの底端部が選択器ロッド５０の側面に隣接されるよう、シャフトリング４４内の穴６８（図７）は、アクチュエーターシャフト６６を受容する。ノブ２６は、一般にハンドル１４の縦軸ＬＡに対して垂直であるアクチュエーターシャフト６０の軸の周りで回転可能である。しかし、その他の構成も企図される。
【００１７】
ノブ以外の構造も利用できることも企図されよう。例えば、ハンドル組立体１２によって支持される各セット１６内のウェイトプレート２４の数を調整するのに、ダイアル（図示せず）を用いてもよい。また、例示した実施形態では、各ウェイトセット１６は、ウェイトプレートセット１６のウェイトプレート２４を選択するための専用のノブ２６を有している。しかし、両方のウェイトセット１６を調整するために、１つのノブまたはダイアルを用いてもよい。単一選択器要素構成を収納するよう、ギア組立体５２および係止組立体５４が変更されることが理解されよう。
【００１８】
図８〜９Ａを参照すると、第１の平歯車５６は、第１の平歯車上の歯が第２の平歯車上の歯と噛合するよう、第２の平歯車５８と係合する。したがって、ノブ２６の回転により、第１の平歯車５６が第１の方向に回転し、次に、第２の平歯車５８を第１の方向とは反対の第２の方向に回転する。連結軸６０が第２の平歯車５８を第３の平歯車６２に連結させるため、第２の平歯車の回転によっても、第３の平歯車が第２の方向に回転する。図９および９Ａで最もよく分かるように、第３の平歯車６２の歯が選択器シャフト５０上の歯６４と噛合するため、第３の平歯車の回転により、選択器シャフトがハンドル１４内で縦方向に移動する。各カラー１８、２０は、個別のギア組立体５２を囲む。各カラー１８、２０には、利用者が使用中ノブを回転させられるよう、使用者がノブ２６を使用できるように、作動ロッド６６を通過させる開口部７０（図７および７Ａ）を有する。下記の詳細に説明されるように、ノブ２６は、ハンドル１４内で選択器シャフト５０を定位置に係止または係止解除するよう、垂直に移動できる。ノブの垂直移動により、係止組立体５４は、利用者が容易に係止および係止解除できる。
【００１９】
選択器シャフト５０（広義には、「選択器」）は、ハンドルの縦軸に対して横の選択器シャフトおよびウェイトプレート２４の移動が制限されるよう、ハンドル１４および選択器シャフト穴４２内で少なくとも部分的に受容される（図６）。
【００２０】
図８〜１２を参照すると、各係止組立体５４は、個別のカラー１８、２０に摺動可能に取り付けられた保持部材８２、アクチュエーターシャフト６６上の円錐状部材８４および選択器シャフト５０内の縦方向に離間配置された一連の凹部８６（広義には、「第２の係止要素」）を備える。保持部材８２は、係止部８８および係止部から延在するタブ部９０を備える。係止部８８は、細長いプレート開口部９２および細長いロッド開口部９４を有する。ロッド開口部は、アクチュエーターシャフトの低端部の少なくとも一部が、選択器シャフト５０内の凹部８６に受容されるよう、アクチュエーターシャフト６６を受容する。保持部材８２のタブ部９０は、少なくとも部分的にカラー１８、２０の側壁内の穴９５を通って延在し、係止部８８は、保持部材の移動をカラーに対して実質的に摺動する並進移動に抑制するために、カラー１８、２０内のインサートのチャネル９６（図７および７Ａ）内に少なくとも部分的に捕らえられる。
【００２１】
図８および８Ａを参照すると、係止組立体５４が係止構成にあると、ノブ２６は、押し下げられた位置になり、保持部材８２の係止部８８の自由端部１００は、円錐状部材８４のショルダー１０２と第１の平歯車５６の底面間に配置される。開口部９４周辺の保持部材８２の自由端部１００は、アクチュエーターシャフト６６の底端部が選択器シャフト５０の凹部８６に固定されるように、円錐状部材８４のショルダー１０２を係合させ、ダイアル２６を押し下げられた位置に保持する。したがって、選択器シャフト５０は、アクチュエーターシャフト６６の底端部と凹部８６間の係合によって、縦方向の移動から保持される。具体的には、アクチュエーターシャフト６６の外側で縦方向に延在する面は、凹部８６の面を係合し、２つの面の向かい合う性質によって、選択器シャフト５０の縦方向の移動が制限される。選択器シャフト５０はまた、アクチュエーターシャフト６６の底部および選択器シャフトの反対側において対向型にある第３の平歯車６２の位置決めによって横方向の移動から保持される。具体的には、アクチュエーターシャフト６６の底端部および第３の平歯車６２は、選択器シャフトの横方向の移動を制限するため、選択器シャフト５０の対向する側面に配置される。それゆえ、係止構成にあると、選択器シャフトは、縦方向および横方向の移動両方に対して固定される。そのため、ウェイトプレート２４の移動が制限され、緩みや「スロップ」および側間のある従来技術設計に存在しうる欠点を減らすのに役立つ。係止組立体５４が係止解除構成にあると（図９および９Ａ）、ノブ２６は、持ち上げられた位置にあり、選択器シャフト５０内の凹部８６からアクチュエーターシャフト６６の底端部を解放し、選択器シャフトがノブによって調整可能になる。
【００２２】
図８Ｂを参照すると、本発明の別の実施形態が示される。本実施形態では、同一の部品は、先の実施形態と同一の参照番号で示されるが、番号の後にダッシュ記号が追加される。したがって、本実施形態に対して、すべての部品が再度説明されるわけではない。カラー２０’には今度は、ノブが一般にカラーの上面と同一平面上になるよう、カラーの内部にノブ２６’を受容するのに十分な大きさである開口部１３２が含まれる。カラー２０’には今度は、カップ１３４を通じてアクチュエーターシャフト６６’を受容するための開口部を備えた底壁（図示せず）を有するカップ１３４が含まれる。底壁は、ばね用の反応面を提供する（図示しないが、図９Ａに見るように、ばね１２０に類似する）。アクチュエーターシャフト６６’が保持部材８２’によって解放されると、ばねの影響を受けてノブ２６’は開口部１３２を通じて飛び上がり、ウェイトの選択を変更するのに、ノブをつかみやすくなる。反対側のカラー（図示せず）は押し込まれたノブを含む同一の構成を有していてもよいことが理解されよう。
【００２３】
ウェイト印１１０は、各ノブ２６に設けられてもよい。印１１０は、ノブ２６の上面周辺に離間配置されたノッチを備えていてもよい。カラー１８、２０上のインジケーターマーク１１２は、ノブ２６上のノッチがインジケーターマークとそろったときに、ウェイトプレート２４、３２が係合されることを示してもよい。器具１０の約１０の異なるウェイトの増分を画定するために、ノッチは相互に約３６°離れて離間配置されてもよい。したがって、ノブ２６の１回の回転が器具１０の全プレートを保持するよう、各ノッチは、プレート２４、３２に対応してもよい。下記により詳細に説明されるように、ギア組立体５２により、器具１０のこの機能が可能になる。各選択器シャフト５０上の凹部８６は、好ましくは、各凹部が器具１０のプレート２４、３２に対応するように位置決めされる。したがって、選択されたウェイトプレート２４、３２に対するノブ２６の回転は、アクチュエーターシャフト６６を対応する凹部８６に合わせてもよい。
【００２４】
器具１０のすべてまたは少なくともすべての主要な構成要素は、鋼鉄製であってもよいことが分かる。しかし、その他の素材の使用は、本発明の範囲から逸脱しない。
【００２５】
使用中、保持部材８２のタブ部９０を押すことで、利用者は器具１０を係止構成から係止解除構成に配置して、保持部材をカラー１８、２０にさらに摺動させてもよい。保持部材８２の摺動により、円錐状部材８４のショルダー１０２と第１の平歯車５６の底面間から係止部材の自由端部１００の係合が解除され、ノブ２６を上昇位置に上げることが可能になる。保持部材８２のタブ部９０が押されると、ノブが自動的に上昇位置に上がるよう、カラー１８、２０上に取り付けられたばね１２０などによって、ノブ２６が上昇位置まで付勢されてもよいことが理解されよう。上昇位置において、利用者は、ノブ２６を時計回りまたは反時計回りのいずれかに回転させることで、必要なウェイト量を選択しうる。図示した実施形態では、ばね１２０は、カラー１８、２０の上部に取り付けられる。しかし、ばね１２０は、利用者に見えないように、カラーの内部に取り付けられてもよい。
【００２６】
図示した実施形態では、図２および６に示すように、右ノブの時計回り方向の回転および左ノブの反時計回り方向の回転により、第３の平歯車６２の歯が選択器シャフト５０の歯６４と共に動き、選択器シャフトをハンドル１４の中央から外側に離して移動させる。選択器シャフト５０が外側に移動されるので、ウェイトプレート２４内の選択器シャフト穴４２を通じて、ウェイトセット１６内にさらに延在し、より多くのウェイトプレートと係合する。それゆえ、利用者がハンドル１４を上に持ち上げると、係止機構３０により、より多くのウェイトプレート２４がハンドル組立体１２上で保持される。器具１０および具体的にはギア組立体５２は、各ノブ２６の１回の完全な回転が、ハンドル組立体１２上ですべてのプレート２４、３２を保持するように構成される。ギア組立体５２のギア５６、５８、６２による回転移動から選択器シャフト５０の並進移動への移行により、ノブ２６およびそれに従う第１の平歯車５６の漸進度（例えば、３６°）の回転が、選択器シャフトを１つのウェイトプレートだけ前進させるのに十分な距離の並進移動を生じさせる。
【００２７】
反対に、右ノブ２６が反時計回り方向に回転し、左ノブが時計回り方向に回転すると、第３の平歯車６２の歯は、選択器シャフト５０の歯６４と共に移動し、選択器シャフトをハンドル１４の中央に向かって内側に移動させる。これによって、選択器シャフト５０によって係合されるウェイトプレート２４の数が減り、その結果、器具の重量が減る。器具１０は、ハンドル１４の各側上にある少なくとも１つのウェイトプレート２４またはカラープレート３２がハンドル組立体１２によって保持されるときに、選択器シャフト５０が最外部プレートを越えて延在しないように構成される。
【００２８】
ウェイトプレート２４、３２を定位置に係止するため、利用者はノブ２６を押し下げ、アクチュエーターシャフト６６を下方に移動させ、円錐状部材８４の外面にアクチュエーター開口部９４の縁１２２を係合させてもよい。アクチュエーター開口部９４の縁１２２は、縁がショルダー１０２を越えて、保持部材８２の自由端部１００が再度ショルダー１０２と第１の平歯車５６の底面間に配置されるようにするまで、円錐状部材８４の外面と共に移動する。この位置で、選択器シャフト５０は再度定位置に係止される。ノブ２６が完全に押されたときに（図９および９Ａ）、係止部材が自動的に係止構成に移動されるよう、カラー１８、２２内のばね（１３０）などによって、保持部材８２が外側に付勢されてもよいことが理解されよう。保持部材８２自体は、保持部材を外側に付勢するフレックススプリングであってもよいことも理解されよう。使用中、器具１０が落ちた場合、係止機構３０および係止組立体５４は、プレート２４、３２を共に固定し、プレートを器具上の定位置に保持する。
【００２９】
本発明を詳細に説明してきたが、添付の特許請求の範囲に定義される本発明の範囲から逸脱することなく、修正や応用例が可能であることが明らかとなるであろう。
【００３０】
本発明の要素および本発明の好適な実施例を紹介するときに、冠詞「ａ」、「ａｎ」、「ｔｈｅ」および「前記」は、要素が１つまたは複数あることを意味することを目的としている。「備える」、「含む」および「有する」という用語は、包括的であること、かつ記載された要素以外の追加の要素もありうることを意味することを目的としている。
【００３１】
本発明の範囲から逸脱することなく、上記の構成、製品および方法において種々の変更がなされてもよいため、上記の説明に含まれる、および添付の図面に示される全内容は、例示として解釈され、限定的な意味で解釈されないものとする。
【図１】
2016506812.tif 000003
【図２】
2016506812.tif 000004
【図３】
2016506812.tif 000005
【図４】
2016506812.tif 000006
【図５】
2016506812.tif 000007
【図５Ａ】
2016506812.tif 000008
【図５Ｂ】
2016506812.tif 000009
【図６】
2016506812.tif 000010
【図７】
2016506812.tif 000011
【図７Ａ】
2016506812.tif 000012
【図８】
2016506812.tif 000013
【図８Ａ】
2016506812.tif 000014
【図８Ｂ】
2016506812.tif 000015
【図９】
2016506812.tif 000016
【図９Ａ】
2016506812.tif 000017
【図１０】
2016506812.tif 000018
【図１０Ａ】
2016506812.tif 000019
【図１１】
2016506812.tif 000020
【図１２】
2016506812.tif 000021
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
選択可能なウェイトセット器具であって、
第１の端部および前記第１の端部の反対側にある第２の端部を有するハンドルを備えるハンドル組立体と、
前記ハンドルの前記第１の端部上で支持されるよう適合された第１のウェイトセットおよび前記ハンドルの前記第２の端部上で支持されるよう適合された第２のウェイトセットであって、これらのそれぞれが複数のウェイトプレートを備える、第１および第２のウェイトセットと、
前記ハンドル組立体に保持される多数のウェイトプレートを選択するための調整組立体であって、前記第１および第２のウェイトセットのうちの少なくとも１つにおいて、前記ウェイトプレートと係合し、かつ選択するための、前記第１および第２のウェイトセットのうちの前記少なくとも１つに対する移動のための少なくとも１つの選択器を備える、調整組立体と、
前記第１および第２のウェイトセットのうちの前記少なくとも１つに対して前記選択器を固定するための係止組立体であって、前記係止組立体が、第１の係止要素および複数の第２の係止要素を備え、第１の係止要素が、前記選択器が前記第１および第２のウェイトセットのうちの前記少なくとも１つにおいて、前記ウェイトプレートと係合し、かつ選択するよう移動された後、前記選択器および前記選択器上の前記複数の第２の係止要素のうちの１つとの解除可能な係合のために構成される、係止組立体と、を備える、選択可能なウェイトセット器具。
【請求項２】
前記調整組立体が、前記第１および第２のウェイトセットのうちの前記少なくとも１つにおいて、前記ウェイトプレートと係合し、かつ選択するために、前記少なくとも１つの選択器を移動させるための少なくとも１つのギア組立体をさらに備え、第１の位置で前記選択器と係合し、かつ前記第１の位置とは異なる第２の位置で前記選択器と係合する前記第１の係止要素と係合するギア組立体をさらに備える、請求項１に記載の選択可能なウェイトセット器具。
【請求項３】
前記第１および第２の位置が前記選択器の横方向の移動を制限するために、前記選択器の向かい合った側面上にある、請求項２に記載の選択可能なウェイトセット器具。
【請求項４】
前記第１の係止要素がロッド部材を備え、前記第２の係止要素が前記選択器内に形成された複数の凹部を備え、前記ロッド部材の縦方向の係合面が、前記選択器の縦方向の移動を制限するよう、前記凹部のうちの１つに受容される、請求項３に記載の選択可能なウェイトセット器具。
【請求項５】
前記第１の係止要素の実質的に垂直の移動によって、前記第１の係止要素が前記選択器上の第２の係止要素と係合し、かつ係合解除する、請求項１に記載の調整可能なウェイトセット器具。
【請求項６】
前記調整組立体が、前記第１の係止要素に固定され、かつ前記第１および第２のウェイトセットのうちの前記少なくとも１つにおいて、選択された数のウェイトプレートを保持するよう、前記選択器を移動させるために、前記選択器に動作可能に連結された選択器要素をさらに備え、前記選択器を選択されたウェイトプレートに前進させる前記選択器要素の移動が、前記第１の係止要素を前記選択されたウェイトプレートに関連付けられた第２の係止要素と整合させる、請求項１に記載の選択可能なウェイトセット器具。
【請求項７】
前記係止組立体が、該係止組立体を選択的に係止および係止解除構成に配置させるために、前記ハンドル組立体上に摺動可能に取り付けられた保持部材をさらに備える、請求項１に記載の選択可能なウェイトセット器具。 
【請求項８】
前記第１の係止要素がショルダーを含み、前記保持部材が、前記係止組立体を前記係止構成に保持するよう、前記第１の係止要素の前記ショルダーと係合するよう適合される、請求項７に記載の選択可能なウェイトセット器具。
【請求項９】
ウェイトプレート印を含む回転可能な選択器要素をさらに備え、前記調整組立体が少なくとも１つのギア組立体をさらに備え、前記選択器要素が、前記第１および第２のウェイトセットのうち前記少なくとも１つにおいて、前記ウェイトプレートと係合し、かつ選択するために、前記少なくとも１つの選択器を移動させるための前記少なくとも１つの前記ギア組立体によって前記選択器に動作可能に連結され、前記選択器要素の１回の完全な回転が前記第１および第２のウェイトセットのうちの前記少なくとも１つにおけるすべてのウェイトプレートを保持するよう、１つのウェイトプレート印が１つのウェイトプレートに対応する、請求項１に記載の選択可能なウェイトセット器具。
【請求項１０】
選択可能なウェイトセット器具のためのハンドル組立体であって、
複数のウェイトプレートを支持するためのハンドルと、
前記ハンドルに保持される多数のウェイトプレートを選択するための前記ハンドルに関連付けられた調整組立体であって、前記ハンドルに保持される前記ウェイトプレートと係合し、かつ選択するための、前記ハンドルに対する移動のための少なくとも１つの選択器を備える、調整組立体と、
前記ハンドルに対して前記選択器を固定するための係止組立体であって、前記係止組立体が第１の係止要素および複数の第２の係止要素を備え、前記第１の係止要素が、前記係止組立体を係止および係止解除構成に配置するために、前記選択器および該選択器上の前記複数の第２の係止要素のうちの１つとの解除可能な係合のために構成される、係止組立体と、を備える、ハンドル組立体。
【国際調査報告】
2016506812.tif 000022
2016506812.tif 000023